(57)【要約】【課題】  一つの場にベットした多数のカジノチップの位置を正確に検出することができる、カジノチップのベット位置検出方法を得る。【解決手段】  境界線で囲まれた一つのベット領域を縦方向にｍ区画，横方向にｎ区画に仮想的に分割し、該一つのベット領域より縦横両方向に１区画ずつ広いアンテナすなわち縦方向に（ｍ＋２）区画，横方向に（ｎ＋２）区画の領域を有した角型ループアンテナをレイアウトテーブルの裏面に移動可能に配設し、縦方向及び横方向より１区画分ずつ移動させながらアンテナ領域内のカジノチップのＩＤ情報を読み取り、縦方向において各カジノチップの読み取り位置分布の中心点の値から（ｍ＋２）／２を引いた値を当該カジノチップの縦方向のベット位置とし、横方向において各カジノチップの読み取り位置分布の中心点の値から（ｎ+２）／２を引いた値を当該カジノチップの横方向のベット位置とする。【選択図】        図１
2005300188.tif 000002
【特許請求の範囲】
【請求項１】
境界線で囲まれた一つのベット領域を縦方向にｍ区画，横方向にｎ区画に仮想的に分割し、該一つのベット領域より縦横両方向に１区画ずつ広いアンテナすなわち縦方向に（ｍ＋２）区画，横方向に（ｎ＋２）区画の領域を有した角型ループアンテナをレイアウトテーブルの裏面に移動可能に配設し、ベット領域を縦方向より１区画分ずつ移動させながらアンテナ領域内のカジノチップのＩＤ情報を読み取り、各カジノチップの読み取り位置分布の中心点の値から（ｍ＋２）／２を引いた値を当該カジノチップの縦方向のベット位置とし、ベット領域を横方向より１区画分ずつ移動させながらアンテナ領域内のカジノチップのＩＤ情報を読み取り、各カジノチップの読み取り位置分布の中心点の値から（ｎ＋２）／２を引いた値を当該カジノチップの横方向のベット位置とする、カジノチップのベット位置検出方法。
【請求項２】
角型ループアンテナが、一部にスリットを設けた遮蔽板を周囲に配設して構成したことによりサイドローブをカットして正確な読み取りを可能にすると共に当該アンテナを大きくすることができることにより、一つの場にベットしたカジノチップの積層枚数が最大約２０枚程度まで位置検出することができることを特徴とする、請求項１に記載のカジノチップのベット位置検出方法。
【請求項３】
角型ループアンテナの移動手段が、縦方向及び横方向に自在に移動可能な駆動装置をレイアウトテーブルの裏面に設置した構成であることを特徴とする、請求項１及び請求項２に記載のカジノチップのベット位置検出方法。
【発明の詳細な説明】
【技術分野】
【０００１】
本発明は、カジノゲーム特にルーレットにおいて、レイアウトの場の複数箇所に掛け金として賭けた（該行為を以後単にベットと言う）多数のカジノチップの位置を検出することができる、カジノチップのベット位置検出方法に関するものである。
【背景技術】
【０００２】
従来、カジノゲーム例えばルーレット，バカラ，ブラックジャック等においては掛け金を現金からカジノチップに交換し、レイアウトの場に当該カジノチップをベットしてゲームを行っている。ルーレットの場合、各プレイヤーはレイアウトの場に１＄，５＄，１０＄等の価値を持ったカジノチップをベットし、該ベットが終了するとディーラーはルーレット盤を廻してボールを投げ入れる。そして、該ボールがルーレット盤のいずれかのポケットに入った時にその出目の数字とプレイヤーがベットした場の数字や色等を比べ、一致した箇所がある場合すなわちプレイヤーが勝った場合にはその場の掛け率に応じて払い出しが行われる。
【０００３】
上記ベット位置の確認は、通常ディーラーの目視により行われているが、近年の無線を使用したＩＤ認識技術によるＲＦＩＤタグシステムの普及により、チップ情報を自動的に読み出して各種処理を行う自動システムが提案されている。例えば、特開２００３−１４４７４２号公報の「ゲーム用チップ監視システム及びゲーム用遊戯台」においてはカジノチップにＩＣタグを埋設し、該ＩＣタグにチップ情報を書き込んだり又はＩＣタグよりチップ情報を読み取ることによりチップ監視するものである。また、本願出願人による特開２００４−１０２９５３号公報の「カジノチップの不正防止監視システム」においてはカジノチップにＩＤタグを埋設し、該ＩＤタグに書き込まれた情報を読み取ることによりカジノチップの真贋を監視するものである。なお、ＲＦＩＤタグには電子タグ，無線タグ，ＩＣタグ等の呼称があるが、本願においてはＲＦＩＤタグに統一する。
【０００４】
上記公報において、ＲＦＩＤタグを埋設したカジノチップの情報を読み取るには、レイアウトテーブルの裏面に設置したリーダのアンテナとＲＤＩＤタグのアンテナ間において誘導電磁界による非接触通信で行われる。
【特許文献１】特開２００３−１４４７４２号
【特許文献２】特開２００４−１０２９５３号
【発明の開示】
【発明が解決しようとする課題】
【０００５】
カジノゲームにおいて、バカラやブラックジャック等ではカジノチップのベット領域は決められているため、カジノチップからＩＤ情報を読み取るには単に当該ベット領域の裏面にリーダのアンテナを設置するだけで達成された。しかしながら、ルーレットにおけるベット領域は当該ベット領域内は勿論のこと前後左右の隣り合ったベット領域の境界線上にベットしたり、ベット領域の境界線の交点上にベットすることもあるため、単にベット領域内のカジノチップのＩＤ情報を読み取るだけではなく、ベットされた位置も正確に読み取る必要があった。
【０００６】
前記公報のうち本願出願人による後者の公報においてはレイアウトテーブルの裏面全体にＸ側アンテナとＹ側アンテナを直交して設置し、各アンテナをスキャニングさせながらＸＹの交点上にあるカジノチップのＩＤ情報を読み取る方法であるが、該方法では交点上にあるカジノチップのＩＤ情報しか読み取れないため、正確な位置を読み出すためには読み取り間隔を狭くする必要があった。そのため、多数のアンテナとスキャンドライバが必要となり、複雑化且つ製品価格が嵩んでしまうという問題点があった。また、一つの場にベットしたカジノチップの積層枚数は１０数枚程度で少なかったという問題点があった。
【０００７】
本発明は、上記問題点を解決するために成されたものであり、構造的に簡単でありながら、ベット領域内は勿論のこと前後左右の隣り合ったベット領域の境界線上や交点上にベットしたカジノチップの位置を正確に検出することができ、更には一つの場にベットしたカジノチップの積層枚数が最大約２０枚程度まで検出することができる、カジノチップのベット位置検出方法を提供することを目的とする。
【課題を解決するための手段】
【０００８】
上記課題を解決するため、本発明のカジノチップのベット位置検出方法においては、境界線で囲まれた一つのベット領域を縦方向にｍ区画，横方向にｎ区画に仮想的に分割し、該一つのベット領域より縦横両方向に１区画ずつ広いアンテナすなわち縦方向に（ｍ＋２）区画，横方向に（ｎ＋２）区画の領域を有した角型ループアンテナをレイアウトテーブルの裏面に移動可能に配設し、ベット領域を縦方向より１区画分ずつ移動させながらアンテナ領域内のカジノチップのＩＤ情報を読み取り、各カジノチップの読み取り位置分布の中心点の値から（ｍ＋２）／２を引いた値を当該カジノチップの縦方向のベット位置とし、ベット領域を横方向より１区画分ずつ移動させながらアンテナ領域内のカジノチップのＩＤ情報を読み取り、各カジノチップの読み取り位置分布の中心点の値から（ｎ＋２）／２を引いた値を当該カジノチップの横方向のベット位置とする。
【発明の効果】
【０００９】
本発明のカジノチップのベット位置検出方法により、カジノゲーム特にルーレットにおけるレイアウトの場にベットしたカジノチップのベット位置を検出するようにすれば、多数のアンテナとスキャンドライバを必要とせずに構造的に簡単でありながら、ベット領域内は勿論のこと前後左右の隣り合ったベット領域の境界線上や交点上にベットしたカジノチップの位置を正確に検出することができるという絶大なる効果を奏する。また、カジノチップのＩＤ情報読み取りのためのアンテナを大きくすることができるため、一つの場にベットしたカジノチップの積層枚数が最大約２０枚程度まで位置検出することができるという効果も奏する。
【発明を実施するための最良の形態】
【００１０】
本発明を実施するための最良の形態を図を用いて説明する。図１は本発明のカジノチップのベット位置検出方法におけるカジノチップのベット位置と縦方向及び横方向の分割区画を示した図である。
【００１１】
該図はルーレットのレイアウトの場を示しており、横方向（Ｘ方向）に引かれた境界線３，３と縦方向（Ｙ方向）に引かれた境界線３’，３’により囲まれた一つのベット領域を示している。該ベット領域において、上辺部左側の境界線上のＡ位置にカジノチップ１ａ，上辺部右側の交点上のＢ位置にカジノチップ１ｂ，上辺部中央内部のＣ位置にカジノチップ１ｃ，右辺部中央の境界線上のＤ位置にカジノチップ１ｄ，下辺部左側内部のＥ位置にカジノチップ１ｅ，下辺部中央の境界線上のＦ位置にカジノチップ１ｆが１枚ずつベットされ、ベット可能な全ての位置を示している。
【００１２】
また、境界線３，３’で囲まれた一つのベット領域を縦方向にｍ区画，横方向にｎ区画に仮想的に分割する。該図では、縦方向を４区画（ｍ＝４），横方向を５区画（ｎ＝５）に二点鎖線で仮想的に分割してある。該分割の数値は前記数値に限定するものではないが、円形のカジノチップ１の半径をＲとすれば、１区画の長さをＲとほぼ等しくするのが好適である。
【００１３】
次に、該一つのベット領域より縦横両方向に１区画分ずつ広いアンテナすなわち縦方向に（ｍ＋２）区画，横方向に（ｎ＋２）区画の面積を有した角型ループアンテナ２をレイアウトテーブルの裏面に移動可能に配設する。該図では、縦方向が６区画，横方向が７区画の角型ループアンテナ２とする。
【００１４】
図２は本発明のカジノチップのベット位置検出方法で使用するリーダのアンテナであり、角型ループアンテナ２の周囲に遮蔽板４を配設して構成する。一般的に１３．５６ＭＨｚ等のキャリア周波数を使用したＲＦＩＤタグシステムにおけるリーダ６のアンテナの読み取り特性として、アンテナコイルの外周部にサイドローブによる読み取り可能領域がある。遮蔽板４は、該サイドローブによる読み取り可能領域を無くし、角型ループアンテナ２の内側のアンテナ領域内だけにあるカジノチップ１のＩＤ情報を読み取るために必要となる。
【００１５】
上記遮蔽板４の幅は、レイアウトテーブルの板厚やレイアウトテーブルの裏面から当該角型ループアンテナ２を配設する距離にもよるが、カジノチップ１の直径と同程度が好適である。また、材質としては銅板又は銅網板が好適である。なお、角型ループアンテナ２の内側を通過する磁束が遮蔽板４による短絡回路にて減衰しないように、遮蔽板４の一部にスリット５を設けて開放しておくことが重要である。
【００１６】
上記角型ループアンテナ２により、ベット領域を縦方向より１区画分ずつ例えばＹ１，Ｙ２，Ｙ３‥と移動させながら角型ループアンテナ２の内側のアンテナ領域内のカジノチップ１ａ〜１ｆのＩＤ情報を読み取り、各カジノチップ１ａ〜１ｆの読み取り位置分布の中心点の値から（ｍ＋２）／２を引いた値を当該カジノチップ１ａ〜１ｆの縦方向のベット位置とする。また、ベット領域を横方向より１区画分ずつ例えばＸ１，Ｘ２，Ｘ３‥と移動させながら角型ループアンテナ２の内側のアンテナ領域内のカジノチップ１ａ〜１ｆのＩＤ情報を読み取り、各カジノチップ１ａ〜１ｆの読み取り位置分布の中心点の値から（ｎ＋２）／２を引いた値を当該カジノチップ１ａ〜１ｆの横方向のベット位置とする。
【００１７】
上記縦方向の読み取り動作により得られた各カジノチップ１ａ〜１ｆの位置を当該カジノチップ１ａ〜１ｆのＹ座標とし、横方向の読み取り動作により得られたカジノチップ１ａ〜１ｆの位置を当該カジノチップ１ａ〜１ｆのＸ座標とすることにより各カジノチップ１ａ〜１ｆのＸＹ座標が求まり、各カジノチップ１ａ〜１ｆのベット位置が正確に検出されることになる。
【００１８】
上記角型ループアンテナ２の移動手段として、縦方向及び横方向に自在に移動可能な駆動装置をレイアウトテーブルの裏面に設置することにより簡単に実施できる。図４は本発明のカジノチップのベット位置検出方法におけるアンテナ移動装置の一実施例であり、角型ループアンテナ２をＸ方向に移動可能な駆動装置を内蔵したＸ軸７をＹ軸８，８に橋設し、該Ｘ軸７自体をＹ方向に移動可能な駆動装置を当該Ｘ軸７又はＹ軸８，８に内蔵して構成する。該構造にすれば、図中点線で示したように角型ループアンテナ２を縦方向及び横方向に自在に移動可能となる。また、該移動手段の制御やリーダ６で読み取ったカジノチップ１のＩＤ情報より位置情報を検出するための演算処理は、専用制御装置若しくは汎用パソコン等で実施できる。
【実施例１】
【００１９】
本発明の実施例を図を用いて説明する。図３は本発明のカジノチップのベット位置検出方法において縦方向の各区画におけるカジノチップ読み取り状況を示した図である。該図は構成的に図１を縮小したものであり、境界線で囲まれた一つのベット領域のＡ〜Ｆ位置にカジノチップをベットしたものとする。
【００２０】
図１の[１]は角型ループアンテナ２の下辺がＹ１にあり、[１６]は角型ループアンテナ２が順次下方にシフトしてＹ１６まで移動した状況を示している。また、角型ループアンテナ２は図２で説明したアンテナを使用し、アンテナ外周部にあるカジノチップのＩＤ情報は読み取れないものとする。下記に、角型ループアンテナ２の下辺部がＹ１からＹ１６まで順次シフトした時のカジノチップ読み取り状況を列記する。
【００２１】
[１]，[２]では読み取れるカジノチップはない。
【００２２】
[３]ではＡ，Ｂ位置のカジノチップが不安定ながら読み取れる。
【００２３】
[４]ではＡ，Ｂ位置のカジノチップが安定して読み取れ、Ｃ位置のカジノチップが不安定ながら読み取れる。
【００２４】
[５]ではＡ，Ｂ，Ｃ位置のカジノチップが安定して読み取れ、Ｄ位置のカジノチップが不安定ながら読み取れる。
【００２５】
[６] ではＡ，Ｂ，Ｃ，Ｄ位置のカジノチップが安定して読み取れ、Ｅ位置のカジノチップが不安定ながら読み取れる。
【００２６】
[７] ではＡ，Ｂ，Ｃ，Ｄ，Ｅ位置のカジノチップが安定して読み取れ、Ｆ位置のカジノチップが不安定ながら読み取れる。
【００２７】
[８]ではＡ，Ｂ，Ｃ，Ｄ，Ｅ，Ｆ位置のカジノチップが安定して読み取れる。
【００２８】
[９]ではＡ，Ｂ位置のカジノチップが不安定ながら読み取れ、Ｃ，Ｄ，Ｅ，Ｆ位置のカジノチップが安定して読み取れる。
【００２９】
[１０] ではＣ位置のカジノチップが不安定ながら読み取れ、Ｄ，Ｅ，Ｆ位置のカジノチップが安定して読み取れる。
【００３０】
[１１] ではＤ位置のカジノチップが不安定ながら読み取れ、Ｅ，Ｆ位置のカジノチップが安定して読み取れる。
【００３１】
[１２] ではＤ，Ｅ位置のカジノチップが不安定ながら読み取れ、Ｆ位置のカジノチップが安定して読み取れる。
【００３２】
[１３] ではＦ位置のカジノチップが不安定ながら読み取れる。
【００３３】
[１４] ，[１５] ，[１６]では読み取れるカジノチップはない。
【００３４】
上記結果を下記表１にまとめた。なお、安定して読み取れたカジノチップは大文字で表し、不安定ながら読み取れたカジノチップは小文字で表し、何も読み取れない状況を“−”で表している。
【００３５】
【表１】
2005300188.tif 000003
【００３６】
ここで、縦方向すなわちＹ方向のカジノチップのベット位置を求める数式は下記数１となる。
Ｙ＝｛Ｓｙ＋（Ｅｙ−（ｍ＋２））｝／２‥‥数１
【００３７】
上記数式において、ＹはカジノチップのＹ座標位置、Ｓｙは読み取り開始時の角型ループアンテナ２の下辺位置数値、Ｅｙは読み取り終了時の角型ループアンテナ２の下辺位置数値、ｍは角型ループアンテナ２の縦方向（Ｙ方向）の分割区分数を示す。
【００３８】
ここで、表1に基づき幾つかのカジノチップの位置を上記数式により検証してみる。まず、Ａ位置のカジノチップのＹ座標位置を求めると、Ｓｙすなわち読み取り開始時の角型ループアンテナ２の下辺位置数値はＹ３であるため“３”となり、Ｅｙすなわち読み取り終了時の角型ループアンテナ２のアンテナ２の下辺位置数値はＹ９であるため“９”となり、ｍすなわちアンテナ２の縦方向の分割区分数は図１より“４”となるため、Ｙ＝｛３＋（９−（４＋２））｝／２＝３となり、Ａ位置のカジノチップのＹ座標位置は“３”となる。また、Ｄ位置のカジノチップのＹ座標位置を求めると、同様にしてＳｙは“５”となり、Ｅｙは“１２”となり、ｍは“４”であるため、Ｙ＝｛５＋（１２−（４＋２））｝／２＝５．５となり、Ｄ位置のカジノチップのＹ座標位置は“５．５”となる。前記２例において、図１及び図３よりカジノチップの位置を見ても、Ａ位置のカジノチップ１ａはＹ３の位置あり、Ｄ位置のカジノチップ１ｄの位置はＹ５とＹ６の中間すなわちＹ５．５の位置にあることが確認できる。従って、上記方法によりカジノチップのＩＤ情報を読み取り、読み取り開始時の角型ループアンテナ２の下辺位置数値Ｓｙと、読み取り終了時の角型ループアンテナ２の下辺位置数値Ｅｙを求めることにより、演算処理にてカジノチップのＹ座標位置を正確に求めることができる。
【００３９】
また、同様に横方向すなわちＸ方向のカジノチップのベット位置を求める数式は下記数２となる。
Ｘ＝｛Ｓｘ＋（Ｅｘ−（ｎ＋２））｝／２‥‥数２
【００４０】
上記数式において、ＸはカジノチップのＸ座標位置、Ｓｘは読み取り開始時の角型ループアンテナ２の右辺位置数値、Ｅｘは読み取り終了時の角型ループアンテナ２の右辺位置数値、ｎは角型ループアンテナ２の横方向（Ｘ方向）の分割区分数を示す。
【００４１】
カジノチップのＸ座標位置も、同様にしてカジノチップのＩＤ情報を読み取り、読み取り開始時の角型ループアンテナ２の右辺位置数値Ｓｘと、読み取り終了時の角型ループアンテナ２の右辺位置数値Ｅｘを求めることにより、演算処理にてカジノチップのＸ座標位置を正確に求めることができる。
【００４２】
以上述べた方法により、レイアウトの場にベットしたカジノチップの位置を正確に検出することができる。また、サイドローブによる読み取りを無くすと共に境界線３，３’で囲まれた一つのベット領域より大きな角型ループアンテナ２を使用することにより磁束密度を大きくすることができるため、各ベット位置に最大約２０枚程度のカジノチップを積み重ねてベットした場合でも、各カジノチップの固有なＩＤ情報を識別することができ、個々のカジノチップのベット位置を正確に検出することができる。
【産業上の利用可能性】
【００４３】
上記実施例においては、カジノゲーム特にルーレットのレイアウトの場にベットしたカジノチップの位置検出方法について述べたが、他のカジノゲームに利用したり、位置検出を必要とする他の従来ゲーム又は新規ゲームに利用することも可能である。
【図面の簡単な説明】
【００４４】
【図１】本発明のカジノチップのベット位置検出方法におけるカジノチップのベット位置と縦方向及び横方向の分割区画を示した図である。
【図２】本発明のカジノチップのベット位置検出方法で使用するリーダのアンテナである。
【図３】本発明のカジノチップのベット位置検出方法において縦方向の各区画におけるカジノチップ読み取り状況を示した図である。
【図４】本発明のカジノチップのベット位置検出方法におけるアンテナ移動装置の一実施例である。
【符号の説明】
【００４５】
１  カジノチップ
２  角型ループアンテナ
３  境界線
４  遮蔽板
５  スリット
６  リーダ
７  Ｘ軸
８  Ｙ軸
【図１】
2005300188.tif 000004
【図２】
2005300188.tif 000005
【図３】
2005300188.tif 000006
【図４】
2005300188.tif 000007